(57)【要約】      （修正有）【課題】冬期又は極寒地において、室内でくつろぐ時に羽織ってローブ又はどてらのように着用できる電気毛布を提供する。【解決手段】露出させたコネクター１ａに電気的に接続したヒーター回路１ｂを内装させた電気毛布１において、前記電気毛布１で前身頃部２と後身頃部３とを形成すると共に、該前身頃部２と後身頃部３とに袖部４と襟部５とを縫着し、部屋着として羽織って着用できる電気毛布を構成する。【選択図】図１
0003161894.tif 000002
【実用新案登録請求の範囲】
【請求項１】
露出させたコネクターに電気的に接続したヒーター回路を内装させた電気毛布において、前記電気毛布で前身頃部と後身頃部とを形成すると共に、該前身頃部と後身頃部とに袖部と襟部とを縫着したことを特徴とする着用できる電気毛布。
【請求項２】
前記前身頃部の任意箇所にポケットを縫着したことを特徴とする請求項１に記載の着用できる電気毛布。
【考案の詳細な説明】
【技術分野】
【０００１】
本考案は、着用できる電気毛布に関するものであり、更に詳細には、冬期又は極寒地において、室内でくつろぐ時に羽織ってローブ又はどてらのように着用できる電気毛布に関するものである。
【背景技術】
【０００２】
従来、この種の電気発熱装置を組み込んだ衣服は既に各種開発されて市販されており、冬期に釣りや登山等をする時にバッテリーに接続して着用するベストタイプものであった。
【０００３】
例えば、衣服１０と共に使用する電気発熱装置は回路制御器１３と、回路制御器１３に電気的に接続されたバッテリー・セット１４と、バッテリー・セット１４に電気的に接続された電源装置１５とを有する。黒鉛繊維１２１と黒鉛繊維１２１を取り囲むプラスチック膜１２２からなる熱伝導体１２は、衣服１０内に取付けられるようになっている。バッテリー・セットからの電気の供給と同時に、熱伝導体１２はその熱を使用者に放散する。さらに、赤外線光を発散してある種の疾病への免疫を高め使用者の血管の突然変異を防止するように、セラミックスが熱伝導体１２の頂部に形成されているもの（特許文献１参照）や、電池と電気発熱体を組み合わせた、簡単な構成であるが、衣類・衣服に電気発熱体を埋め込み、電池の電源で発熱させ、温度調整器で温度調整をし、体を直接温め快適な暖房ができるもの（特許文献２参照）が先に開示されている。
【特許文献１】実用新案登録第３０８７９５９号公報
【特許文献２】特開平１１−１８９９０３号公報
【考案の開示】
【考案が解決しようとする課題】
【０００４】
然し乍ら、前述の開示されている特許文献１では、電気発熱装置は回路制御器１３と、回路制御器１３に電気的に接続されたバッテリー・セット１４と、バッテリー・セット１４に電気的に接続された電源装置１５とを有するもので、特許文献２でも、電池と電気発熱体を組み合わせたものであり、屋外で着用できるようにバッテリー・セット１４又は電池を備えているもので、重い電池や、充電器を備えなければ成らず、高価なものとなり、叉、屋外で活動するようにベストタイプのもので上着の内側に着用するものであった。
【課題を解決するための手段】
【０００５】
本考案は前記課題に鑑み、鋭意研鑽の結果、これらの課題を解決するもので、露出させたコネクターに電気的に接続したヒーター回路を内装させた電気毛布において、電気毛布で前身頃部と後身頃部とを形成すると共に、該前身頃部と後身頃部とに袖部と襟部とを縫着したものであり、更に、前身頃部の任意箇所にポケットを縫着したものである。
【考案の効果】
【０００６】
本考案の着用できる電気毛布は、電気毛布で前身頃部と後身頃部とを形成すると共に、該前身頃部と後身頃部とに袖部と襟部とを縫着したことから、居間等でくつろぐ時はローブ又はどてらとして着用できるもので、極寒の場所でも部屋全体を暖かくしなくとも省エネで各自が暖かくくつろげるもので、画期的で実用性の高い有効な考案である。
【考案を実施するための最良の形態】
【０００７】
以下、本考案の着用できる電気毛布の実施の形態を図面によって具体的に説明すると、図１は本考案の着用できる電気毛布の実施例の平面説明図である。
【０００８】
本考案は、着用できる電気毛布に関するものであり、更に詳細には、冬期又は極寒地において、室内でくつろぐ時に羽織ってローブ又はどてらのように着用できる電気毛布に関するものであり、請求項１に記載した着用できる電気毛布は、露出させたコネクター１ａに電気的に接続したヒーター回路１ｂを内装させた電気毛布１において、前記電気毛布１で前身頃部２と後身頃部３とを形成すると共に、該前身頃部２と後身頃部３とに袖部４と襟部５とを縫着したことを特徴とするものである。
【０００９】
更に、請求項２に記載の着用できる電気毛布は、請求項１に記載した着用できる電気毛布において、前記前身頃部２の任意箇所にポケット６を縫着したことを特徴とするものである。
【実施例】
【００１０】
即ち、本考案の着用できる電気毛布は、図１に図示するように、フリース素材で形成された電気毛布１であって、コネクター１ａは電気毛布１の任意箇所に露出させたもので、後述するヒーター回路１ｂと電気的に接続すると共に、商業電源とコードを介して着脱自在に接続できるものである。
【００１１】
そして、ヒーター回路１ｂは、電気毛布１に内装させているもので、その配設は任意なものであり、前記コネクター１ａに端部を接続しているものである。
【００１２】
次に、前身頃部２と後身頃部３とはヒーター回路１ｂが内装された電気毛布１で形成するもので、図示する実施例では、前身頃部２と後身頃部３とは一枚の電気毛布１で形成しているものであるが、二枚以上に分割して夫々を縫着してヒーター回路１ｂを電気的に接続させても構わないものである。
【００１３】
次いで、袖部４は前身頃部２と後身頃部３との間の上方辺の両側に開口を設けて縫着するもので、更に、襟部５は前身頃部２の上方側部を傾斜させて縫着すると共に、後身頃部３の上方辺に縫着したものである。
【００１４】
更には、ポケット６は小物を収納できるもので、電気毛布１の前身頃部２の任意箇所に縫着したもので、図示する実施例では、前身頃部２の片側の略中央に左右辺と下辺とを縫着し、上方辺を開口させているもので、その数や縫着する位置は任意のものである。
【００１５】
また、図示する実施例では、左右の前身頃部２の両端辺を係止するためにボタンである係止部７を設けているものであるが、係止部７は、ボタンとボタン穴若しくは環状の紐や、帯状の係止部７であっても、面ファスナー等の係止できるものであれば構わないものある。
【００１６】
つまり、本考案の着用できる電気毛布は、電気毛布１をローブやどてらのように仕立てて着用するものであり、フリース素材で形成された電気毛布１は電源を入れなくとも暖かいものであるが、電源を入れることにより更に暖かくなるものである。
【産業上の利用可能性】
【００１７】
本考案は、電気毛布で前身頃部と後身頃部とを形成すると共に、該前身頃部と後身頃部とに袖部と襟部とを縫着したことから、居間等でくつろぐ時はローブ又はどてらとして着用できるもので、極寒の場所でも部屋全体を暖かくしなくとも省エネで各自が暖かく着用できる電気毛布を提供するものである。
【図面の簡単な説明】
【００１８】
【図１】図１は本考案の着用できる電気毛布の実施例の平面説明図である。
【符号の説明】
【００１９】
１      電気毛布
１ａ    コネクター
１ｂ    ヒーター回路
２      前身頃部
３      後身頃部
４      袖部
５      襟部
６      ポケット
７      係止部
【図１】
0003161894.tif 000003